(57)【要約】【課題】吸収性能を維持したまま、吸収体の薄型化を可能にするとともに、高吸水性樹脂の偏りや脱落を防止する。【解決手段】吸収体１は、吸水性繊維３中に高吸水性樹脂４が分散混入されてなる繊維質層２と、前記繊維質層２の下層側に配設される高吸水性樹脂６からなるポリマー層５と、前記繊維質層２とポリマー層５との間に介在される親水性不織布７と、これら繊維質層２、ポリマー層５及び親水性不織布７の積層体を囲繞するコアラップシート８とから構成される。前記ポリマー層５は、下面側が接着剤９の全面塗布により前記コアラップシート８に固着され、上面側が接着剤１０の間欠塗布により前記親水性不織布７に固着されている。【選択図】図１
2014068813.tif 000002
【特許請求の範囲】
【請求項１】
吸水性繊維中に高吸水性樹脂が分散混入されてなる繊維質層と、前記繊維質層の下層側に配設される高吸水性樹脂からなるポリマー層と、前記繊維質層とポリマー層との間に介在される親水性不織布と、これら繊維質層、ポリマー層及び親水性不織布の積層体を囲繞するコアラップシートとからなることを特徴とする吸収体。
【請求項２】
前記ポリマー層は、下面側が接着剤の全面塗布により前記コアラップシートに固着され、上面側が接着剤の間欠塗布により前記親水性不織布に固着されている請求項１記載の吸収体。
【請求項３】
前記親水性不織布は、エンボス加工が施されることにより凹凸状に形成されている請求項１、２いずれかに記載の吸収体。
【請求項４】
前記コアラップシートのうち前記ポリマー層と隣接する部分及び前記親水性不織布はそれぞれ、エンボス加工が施されることにより凹凸状に形成されている請求項１〜３いずれかに記載の吸収体。
【請求項５】
前記繊維質層に含有される高吸水性樹脂の加圧下通液速度は、前記ポリマー層を構成する高吸水性樹脂の加圧下通液速度よりも相対的に大きく設定されている請求項１〜４いずれかに記載の吸収体。
【請求項６】
前記繊維質層は、前記ポリマー層より小面積に形成され、前記ポリマー層のほぼ中央部に配設されている請求項１〜５いずれかに記載の吸収体。
【請求項７】
前記ポリマー層は、前記吸収体の長手方向中心線位置又はその近傍で左右に分割された分割ポリマー層とされ、
前記繊維質層は、前記ポリマー層より小幅に形成され、前記ポリマー層の分割部分を跨るように配設されている請求項１〜５いずれかに記載の吸収体。
【請求項８】
前記ポリマー層は、幅方向に対しポリマー配設領域と離間部とが交互に複数長手方向に沿って配列された縞状に形成され、
前記繊維質層は、前記ポリマー層より小面積に形成され、前記ポリマー層のほぼ中央部に配設されている請求項１〜５いずれかに記載の吸収体。
【請求項９】
前記ポリマー層及び親水性不織布は、前記繊維質層の側縁よりも両側に延在して設けられ、この延在部分がそれぞれ、前記繊維質層の側縁を回り込むようにして折り畳まれることにより、前記ポリマー層及び親水性不織布の側縁が前記繊維質層の上面側に位置している請求項１〜８いずれかに記載の吸収体。
【請求項１０】
透液性表面シートと裏面シートとの間に吸収体が介在された吸収性物品において、
前記吸収体として上記請求項１〜９いずれかに記載の吸収体を用いていることを特徴とする吸収性物品。
【発明の詳細な説明】
【技術分野】
【０００１】
本発明は、使い捨ておむつ、尿取りパッド、失禁パッド等の吸収性物品に用いられる吸収体に係り、詳細には吸収性能を維持したまま薄型化を可能にした吸収体及びこれを用いた吸収性物品に関する。
【背景技術】
【０００２】
従来より、紙おむつ、生理用ナプキン、失禁用パッドなどの体液吸収物品が市場に提供されて以来、高吸水性樹脂を使用した吸収体に関しては種々の改良が積み重ねられてきた。
【０００３】
高吸水性樹脂は公知のように、水と接触すると吸水・膨潤してゲル状となり、一旦吸水したならば多少の圧力を加えても離水しないなどの特性を持ち、その吸水力は自己体積の数十倍から数千倍に達するなど驚異的な吸水力を示すものである。
【０００４】
前記高吸水性樹脂は単体では上記のような吸収力を示すものの、ある程度湿潤した状態でないと吸水力を発揮できないことと、吸収速度が遅いため、体液吸収物品の吸収体を構成するパルプ繊維中に例えば粒状粉、破砕粉またはペレット状の形態で混入されている。
【０００５】
近年、この種のパルプ繊維を用いた比較的嵩のある吸収性物品の場合には、装着時にゴワ付いてフィット性が得られにくい、または通気性が悪くムレが生じるなどの問題があるとともに、持ち運びに不便である、収納性が悪い、物流の効率化や省資源化などの要請から、薄型化およびコンパクト化などが図られるようになってきた。吸収性物品の薄型化に際しては、薄型化やコンパクト化が成されても吸水量を落とすことは出来ないため、必然的にパルプ量を減らし高吸水性樹脂の含有率を上げることになるが、この場合に、(1)高吸水性樹脂の偏りや脱落の発生及びこれに伴う吸収性能の低下、(2)高吸水性樹脂によるざらつき感の発生、(3)操業性の悪化（ライン上での高吸水性樹脂のこぼれ、ドラムへの詰まり等）、(4)パルプ量を減らすことで、吸収体内部での液の拡散が低下し、ゲルブロッキング等による吸収性能の低下などの問題が生じやすくなっていた。
【０００６】
このような高吸水性樹脂を含む吸収体の吸収性能の低下を防止するための技術としては、下記特許文献１において、所定の加圧下吸収量である吸水性ポリマーを含んで構成される吸収体を備え、前記吸収体は高吸水性ポリマーと繊維状物との繊維混合体からなる上部吸収層と、該上部吸収層の非肌当接面側に配された高吸水性ポリマーと繊維状物との繊維混合体からなる下部吸収層とからなる吸収性物品が開示されている。
【０００７】
また、下記特許文献２においては、上下２層の吸収体からなる吸収性物品において、前記吸収体は綿状パルプと吸収性物質を混合してなる上部吸収体と、その下層に支持体上に吸収性物質を付着固定した下部吸収体とから構成されてなる吸収性物品が開示されている。
【０００８】
さらに、下記特許文献３、４には、不織布層又はペーパー層と、繊維ウェブ層とからなるとともに、前記繊維ウェブ層にＳＡＰ粒子が担持されている吸収体製品が開示されている。
【先行技術文献】
【特許文献】
【０００９】
【特許文献１】特開２００９−７２４２０号公報
【特許文献２】特開２０００−２４０３３号公報
【特許文献３】特開２００３−１０３７４０号公報
【特許文献４】特開２００３−１０３６７７号公報
【発明の概要】
【発明が解決しようとする課題】
【００１０】
しかしながら、上記特許文献１記載の吸収性物品では、上部吸収層及び下部吸収層がいずれも高吸水性ポリマーと繊維状物との繊維混合体から構成されるため、薄型化を実現するのは困難であった。また、薄型化のため繊維状物の配合量を減らすと必然的に高吸水性ポリマーの割合が増加するため、上述のような高吸水性ポリマーの偏りや脱落等の諸問題が発生することが懸念される。
【００１１】
また、上記特許文献２記載の吸収性物品では、パルプ中に高吸水性樹脂が分散混入された上部吸収体の下部に、直接高吸水性樹脂からなる下部吸収体が配置されているため、上部吸収体を薄型化した場合には、上部吸収体に吸収された体液は、上部吸収体に含有される綿状パルプによって若干は拡散するものの、下部吸収体の狭い範囲に集中するため、吸水量が低下したり逆戻りが発生したりして吸収性能が悪化するおそれがあった。
【００１２】
更に、上記特許文献２記載の吸収性物品では、高吸水性樹脂からなる下層の下部吸収体がクレープ紙などによって囲繞されずに直接裏面シートに固定した形態が例示されているため、高吸水性樹脂の偏りや脱落が生じやすい構成となっていた。また、下層の下部吸収体として液透過性フィルムを袋状に接合して袋状内部に高吸水性樹脂を固定した形態も例示されているが、この形態では高吸水性樹脂の脱落等が防止できるものの、吸水して袋状内部で膨潤した高吸水性樹脂が外装のフィルムによって圧迫され、周囲の高吸水性樹脂と付着しやすい構成となっているため、ゲルブロッキングが生じやすく、吸水量が低下することなどが懸念される。
【００１３】
また、上記特許文献３、４記載の吸収体製品は、ＳＡＰ粒子が担持された繊維ウェブ層がクレープ紙などによって囲繞されないため、該吸収体製品を折り曲げた場合、繊維ウェブ層同士が擦り合わされるようになり、その後使用時にＳＡＰ粒子が吸水した場合などにＳＡＰ粒子が脱落して移動するおそれがあった。特に、前記吸収体製品を使い捨ておむつに使用した場合、おむつの製品状態では股間部にて折り曲げられるため、脱落したＳＡＰ粒子が股間部分に集中して瘤状に隆起し着心地が悪くなるという問題があった。
【００１４】
そこで本発明の主たる課題は、吸収性能を維持したまま、吸収体の薄型化を可能にするとともに、高吸水性樹脂の偏りや脱落を防止した吸収体及びこれを用いた吸収性物品を提供することにある。
【課題を解決するための手段】
【００１５】
上記課題を解決するために請求項１に係る本発明として、吸水性繊維中に高吸水性樹脂が分散混入されてなる繊維質層と、前記繊維質層の下層側に配設される高吸水性樹脂からなるポリマー層と、前記繊維質層とポリマー層との間に介在される親水性不織布と、これら繊維質層、ポリマー層及び親水性不織布の積層体を囲繞するコアラップシートとからなることを特徴とする吸収体が提供される。
【００１６】
上記請求項１記載の発明では、吸収体に含まれる高吸水性樹脂を、繊維質層の吸水性繊維（パルプ等）中に分散混入されるものと、この繊維質層の下層側に配設されるポリマー層を構成するものとに分けて配設してあるため、吸収体の薄型化に伴い繊維質層の吸水性繊維の量を減らした場合でも、この繊維質層に分散混入された高吸水性樹脂の含有率が極端に大きくなることがなく、吸水性繊維中に高吸水性樹脂の含有率が高くなることによる高吸水性樹脂の偏りや脱落、吸収性能の低下などといった諸問題が生じなくなる。従って、吸収性能を維持したまま、吸収体の薄型化が可能になる。
【００１７】
また、吸収体の内部を、上層側の繊維質層と下層側のポリマー層とに分け、且つこれら繊維質層とポリマー層との間に親水性不織布を介在してあるため、上層側の繊維質層から下層側のポリマー層に体液が移行する過程で親水性不織布を通過する際、体液が広範囲に拡散され、下層側のポリマー層の広い範囲に亘る高吸水性樹脂に吸水させることが可能になる。従って、ポリマー層の狭い範囲に体液が集中することがなく、これに伴って吸水量が低下したり逆戻りが発生したりして吸収性能が悪化するのが防止できる。また、前記繊維質層の高吸水性樹脂は吸水性繊維に分散混入されているため、高吸水性樹脂の偏りや脱落が防止できるとともに、前記ポリマー層の高吸水性樹脂は前記親水性不織布とコアラップシートとの間に挟まれるように設けられているため、高吸水性樹脂の偏りや脱落が防止でき、且つ高吸水性樹脂が吸水して膨潤しても高吸水性樹脂同士の圧迫が少ないためゲルブロッキングによる吸水量の低下が生じにくくなる。
【００１８】
さらに、ポリマー層の高吸水性樹脂が前記親水性不織布とコアラップシートとの間に挟持されるとともに、全体がコアラップシートによって囲繞されているため、本吸収体を使い捨ておむつなどに使用して股間部分で折り曲げた場合でも、折り曲げ部分の内側にコアラップシートが介在するため、繊維質層同士の擦り合わせなどが生じず、高吸水性樹脂の吸水後でも繊維質層及びポリマー層に含まれる高吸水性樹脂の脱落や移動が防止でき、高吸水性樹脂が各層に分散配置された状態が維持できるので、高吸水性樹脂が吸水して膨潤した際にも装着感が低下することがなくなる。
【００１９】
請求項２に係る本発明として、前記ポリマー層は、下面側が接着剤の全面塗布により前記コアラップシートに固着され、上面側が接着剤の間欠塗布により前記親水性不織布に固着されている請求項１記載の吸収体が提供される。
【００２０】
上記請求項２記載の発明は、前記ポリマー層の固定方法について規定したものであり、下面側を接着剤の全面塗布によって前記コアラップシートに固着し、上面側を接着剤の間欠塗布によって前記親水性不織布に固着してある。つまり、ポリマー層はコアラップシートと親水性不織布との間に挟み込まれて上下面がそれぞれ接着剤によって固定されている。これによて、ポリマー層における高吸水性樹脂の偏りや脱落が防止されるようになる。また、下面側のコアラップシートに対しては接着剤の全面塗布によって強固に固着し、上面側の親水性不織布に対しては接着剤の間欠塗布によって体液の移行を妨げないように固着している。
【００２１】
請求項３に係る本発明として、前記親水性不織布は、エンボス加工が施されることにより凹凸状に形成されている請求項１、２いずれかに記載の吸収体が提供される。
【００２２】
上記請求項３記載の発明では、親水性不織布にエンボス加工を施して親水性不織布自体を凹凸状に形成しているため、繊維の粗密差による体液の浸透性が向上し、上層の繊維質層から下層のポリマー層へ体液を引き込みやすくすることができ、吸収性能が向上する。また、親水性不織布の上面側に凹の部分でポリマー層の高吸水性樹脂が間欠的に押し付けられるため、高吸水性樹脂が移動しづらくなり、高吸水性樹脂の偏りが防止できるようになる。
【００２３】
請求項４に係る本発明として、前記コアラップシートのうち前記ポリマー層と隣接する部分及び前記親水性不織布はそれぞれ、エンボス加工が施されることにより凹凸状に形成されている請求項１〜３いずれかに記載の吸収体が提供される。
【００２４】
上記請求項４記載の発明では、前記コアラップシートのうち前記ポリマー層と隣接する部分及び前記親水性不織布のそれぞれに対しエンボス加工を施して各シート自体を凹凸状に形成することによって、親水性不織布の上面側に凹の部分及びコアラップシートの上面側に凸の部分でそれぞれポリマー層の高吸水性樹脂が間欠的に押し付けるられるため、これらの間に挟まれた高吸水性樹脂がより一層移動しづらくなり、高吸水性樹脂の偏りが防止できるようにしている。
【００２５】
請求項５に係る本発明として、前記繊維質層に含有される高吸水性樹脂の加圧下通液速度は、前記ポリマー層を構成する高吸水性樹脂の加圧下通液速度よりも相対的に大きく設定されている請求項１〜４いずれかに記載の吸収体が提供される。
【００２６】
上記請求項５記載の発明は、繊維質層に含有される高吸水性樹脂の種類とポリマー層を構成する高吸水性樹脂の種類を変化させることにより、吸水効率を高めようとしたものである。具体的には、前記繊維質層に含有される高吸水性樹脂の加圧下通液速度を、前記ポリマー層を構成する高吸水性樹脂の加圧下通液速度よりも相対的に大きく設定することによって、上層側の繊維質層では早く通液させ、下層側のポリマー層での拡散を抑制しながらこのポリマー層で効率的に吸水するようにしたものである。
【００２７】
請求項６に係る本発明として、前記繊維質層は、前記ポリマー層より小面積に形成され、前記ポリマー層のほぼ中央部に配設されている請求項１〜５いずれかに記載の吸収体が提供される。
【００２８】
上記請求項６記載の発明は、繊維質層とポリマー層の第１の配置パターンを示したものであり、前記繊維質層が、ポリマー層より小面積に形成され、前記ポリマー層のほぼ中央部に配設されるようにしたものである。これにより、繊維質層が中央の中高部となって体液排出部位とのフィット性を高めることができるとともに、体液排出部に吸水性繊維を有する繊維質層が配置されるため吸収スピードが維持でき、且つ下層のポリマー層で所定の吸収量を確保することができるようになる。
【００２９】
請求項７に係る本発明として、前記ポリマー層は、前記吸収体の長手方向中心線位置又はその近傍で左右に分割された分割ポリマー層とされ、
前記繊維質層は、前記ポリマー層より小幅に形成され、前記ポリマー層の分割部分を跨るように配設されている請求項１〜５いずれかに記載の吸収体が提供される。
【００３０】
上記請求項７記載の発明は、前記繊維質層とポリマー層の第２の配置パターンについて規定したものであり、前記ポリマー層として、前記吸収体の長手方向中心線位置又はその近傍で左右に分割された分割ポリマー層としたものを用い、この分割部分に跨るように、前記ポリマー層より小幅の繊維質層を配設している。これにより、股間部へのフィット性が高まり、吸収性能を向上させることができるようになる。
【００３１】
請求項８に係る本発明として、前記ポリマー層は、幅方向に対しポリマー配設領域と離間部とが交互に複数長手方向に沿って配列された縞状に形成され、
前記繊維質層は、前記ポリマー層より小面積に形成され、前記ポリマー層のほぼ中央部に配設されている請求項１〜５いずれかに記載の吸収体が提供される。
【００３２】
上記請求項８記載の発明では、前記ポリマー層として、幅方向に対しポリマー配設領域と離間部とが交互に複数長手方向に沿って配列された縞状に形成されたものとし、前記繊維質層が、前記ポリマー層より小面積に形成され、前記ポリマー層のほぼ中央部に配設されるようにしている。ポリマー層が縞状に形成されているため、ポリマー層において長手方向の拡散性が高まり、幅方向の漏れが防止できるようになる。
【００３３】
請求項９に係る本発明として、前記ポリマー層及び親水性不織布は、前記繊維質層の側縁よりも両側に延在して設けられ、この延在部分がそれぞれ、前記繊維質層の側縁を回り込むようにして折り畳まれることにより、前記ポリマー層及び親水性不織布の側縁が前記繊維質層の上面側に位置している請求項１〜８いずれかに記載の吸収体が提供される。
【００３４】
上記請求項９記載の発明では、前記ポリマー層及び親水性不織布として、前記繊維質層の側縁よりも両側に延在して設けるようにし、この延在部分をそれぞれ、前記繊維質層の側縁を回り込むようにして折り畳むことにより、前記ポリマー層及び親水性不織布の側縁が前記繊維質層の上面側に位置するようにしている。このため、繊維質層の側縁からの横漏れが確実に防止できるようになる。
【００３５】
請求項１０に係る本発明として、透液性表面シートと裏面シートとの間に吸収体が介在された吸収性物品において、
前記吸収体として上記請求項１〜９いずれかに記載の吸収体を用いていることを特徴とする吸収性物品が提供される。
【発明の効果】
【００３６】
以上詳説のとおり本発明によれば、吸収性能を維持したまま、吸収体の薄型化が可能になるとともに、高吸水性樹脂の偏りや脱落が防止できるようになる。
【図面の簡単な説明】
【００３７】
【図１】本発明に係る吸収体１の断面図である。
【図２】(A)、(B)は親水性不織布７の平面図である。
【図３】他の形態に係る吸収体１の断面図である。
【図４】繊維質層２とポリマー層５の第１の配置パターンを示す、(A)は平面図、(B)は側面図である。
【図５】繊維質層２とポリマー層５の第２の配置パターンを示す、(A)は平面図、(B)は側面図である。
【図６】繊維質層２とポリマー層５の第３の配置パターンを示す、(A)は平面図、(B)は側面図である。
【図７】(A)、(B)は、他の形態に係る吸収体１の製造要領を示す断面図である。
【図８】他の形態に係る吸収体１の断面図である。
【図９】本発明に係る使い捨ておむつＮの一部破断展開図である。
【図１０】図９のＸ−Ｘ線矢視図である。
【発明を実施するための形態】
【００３８】
以下、本発明の実施の形態について図面を参照しながら詳述する。
〔吸収体１〕
本発明に係る吸収体１は、図１に示されるように、パルプ繊維等の吸水性繊維３中に高吸水性樹脂４が分散混入されてなる繊維質層２と、前記繊維質層２の下層側に配設される高吸水性樹脂６からなるポリマー層５と、前記繊維質層２とポリマー層５との間に介在される親水性不織布７と、これら繊維質層２、ポリマー層５及び親水性不織布７の積層体を囲繞するコアラップシート８とから主に構成されている。この吸収体１は、平面形状が股間部に装着したときに着用者の前後方向に長い縦長の方形状又は中央両側部が窪んだ砂時計状に形成されるもので、その幅寸法は股間部への当たりによって着用者にゴワ付き感を与えない寸法で形成されている。
【００３９】
前記繊維質層２は、例えばパルプ繊維中に高吸水性樹脂４を分散配置したもの、或いはパルプ繊維中に化学繊維を混入させるとともに、高吸水性樹脂４を分散配置したものなどを使用することができる。前記繊維質層２の目付は、１００〜５００ｇ／ｍ２程度が好ましく、１２０〜２５０ｇ／ｍ２程度がより好ましい。前記パルプ繊維としては、木材から得られる化学パルプ、溶融パルプ等のセルロース繊維や、レーヨン、アセテート等のトウ繊維からなるものが挙げられ、広葉樹パルプよりは繊維長の長い針葉樹パルプの方が機能および価格の面で好適に使用される。
【００４０】
前記高吸水性樹脂４としては、たとえばポリアクリル酸塩架橋物、自己架橋したポリアクリル酸塩、アクリル酸エステル−酢酸ビニル共重合体架橋物のケン化物、イソブチレン・無水マレイン酸共重合体架橋物、ポリスルホン酸塩架橋物や、ポリエチレンオキシド、ポリアクリルアミドなどの水膨潤性ポリマーを部分架橋したもの等が挙げられる。これらの内、吸水量、吸水速度に優れるアクリル酸またはアクリル酸塩系のものが好適である。前記吸水性能を有する高吸水性樹脂は製造プロセスにおいて、架橋密度および架橋密度勾配を調整することにより吸水力（吸収倍率）と吸水速度の調整が可能である。
【００４１】
前記繊維質層２における高吸水性樹脂４の含有比率は、６５％以下が好ましく３０〜５０％程度がより好ましいが、これに限るものではない。繊維質層２の高吸水性樹脂４の含有比率が６５％より高くなると、高吸水性樹脂４の脱落が増え、排尿前に偏りが生じるとともに、高吸水性樹脂４同士の接触が増え、ゲルブロッキングが起こりやすく、吸水力や吸収速度が低下してしまう。なお、本発明に係る吸収体１では、繊維質層２の高吸水性樹脂４の含有率を６５％以下に抑え、高吸水性樹脂４の脱落や偏りを防止しながら、ポリマー層５も含めた吸収体１全体（繊維質層２及びポリマー層５）としての高吸水性樹脂の含有比率を６５％より高くすることが可能である。
【００４２】
前記繊維質層２の面積は、特に問わないが、前記ポリマー層５に比べて繊維質層２が体液の拡散スピードが速いので、横漏れによる脚周りからの漏れを防止するため、ポリマー層５よりも少なくとも幅寸法を狭く形成することが好ましい。
【００４３】
前記ポリマー層５を構成する高吸水性樹脂６も、前記繊維質層２に含有される高吸収水性樹脂４と同様のものから適宜選択することができる。前記ポリマー層５は、高吸水性樹脂６の目付が１０ｇ／ｍ２以上２００ｇ／ｍ２以下の範囲で適宜設定することができる。触ったときのざらつき感を感じないレベルで、吸収性能が維持できる範囲としては、２０ｇ／ｍ２以上８０ｇ／ｍ２以下が好ましい。ポリマー層５の面積は、コアラップシート８の面積以下で、平面パターンは、後段の各種パターンで紹介するように適宜決定することが可能である。
【００４４】
前記ポリマー層５は、下面側がホットメルト接着剤等の接着剤９の全面塗布により前記コアラップシート８に固着され、上面側がホットメルト接着剤等の接着剤１０の間欠塗布により前記親水性不織布７に固着されている。即ち、ポリマー層５は、親水性不織布７とコアラップシート８との間に挟まれた状態で、上面及び下面がそれぞれ親水性不織布７及びコアラップシート８に接着固定されている。このため、高吸水性樹脂６の偏りや脱落が確実に防止できる。
【００４５】
前記接着剤９、１０の塗布パターンは特に限定されないが、下面側の接着剤９は、コアラップシート８との固着力を強固にし、高吸水性樹脂６自体の偏りや脱落を防止するため、カーテン、スロット又はスプレーなどの全面的な塗布パターンとするのが好ましく、上面側の接着剤１０は、体液の通過を妨げないように、サミットスプレーやスパイラルスプレーなどの間欠的な塗布パターンとするのが好ましい。
【００４６】
前記親水性不織布７は、体液の平面方向への拡散性に優れた不織布であり、例えば綿、レーヨン等のセルロース繊維、アクリロニトリル、ポリビニルアルコール等の親水性基を有する合成繊維や、ポリエチレン、ポリプロピレン等のポリオレフィン系、ポリエステル等の疎水性繊維を親水化剤で表面処理して親水性を付与した繊維等を用いることができる。前記親水性不織布７として親水化剤で表面処理して親水性を付与した繊維を用いる場合、繊維に付着させた親水化剤の流出を少なくし、繰り返し透水した場合でも親水性が低下しないものとして、水溶性変性シリコンを含有する親水化剤を付着させた耐久親水性繊維からなる不織布を用いることが好ましい。
【００４７】
前記親水性不織布７は、少なくとも前記ポリマー層５の形成範囲と同等の大きさで設けられ、図１に示されるように、前記ポリマー層５の形成範囲より縁部を若干外方に延在させた大きさで設けられるようにすることが好ましい。このような大きさで親水性不織布７を配設することにより、後段の繊維質層２とポリマー層５との配置パターンで詳述するように、繊維質層２をポリマー層５より小さな面積で形成した場合（図４〜図６参照。）でも、ポリマー層５が親水性不織布７で覆われるため、ポリマー層５の高吸水性樹脂６の砂利感が感じられず、風合いや性能が損なわれることがなくなる。
【００４８】
また、前記親水性不織布７は、上層の繊維質層２と下層のポリマー層５のそれぞれの吸水力や吸水スピードに応じて、親水性不織布７の素材や目付け、拡散性等を任意に設定することが可能である。例えば、繊維質層２の吸水スピードが速く、下層に素早く液が浸透するような場合には、親水性不織布７の繊維密度を高くし、繊維の毛管力により平面方向への拡散性が高くなるように設定することができる。
【００４９】
前記親水性不織布７の製造方法には限定がなく、エアスルー法、スパンボンド法、スパンレース法、サーマルボンド法、メルトブローン法、ニードルパンチ法等の適宜の加工法によって得られた不織布を用いることができるが、風合いを柔らかいものとするには、エアスルー法、スパンボンド法が好適である。同じく風合いを柔らかいものとするため、親水性不織布７の目付は、１０ｇ／ｍ２以上、４０ｇ／ｍ２以下が好ましい。平面形状は、ポリマー層５の面積より大きな面積で形成することが好ましい。
【００５０】
前記コアラップシート８は、ティシュー等の紙材あるいは不織布等の透液性のシートを用いることができるが、繊維質層２に含有される吸水性繊維３や高吸水性樹脂４が抜け出さない程度の繊維密度を有するものを用いることが好ましい。厚みは０．０５〜０．５ｍｍ程度が好ましく、０．０５〜０．２ｍｍ程度がより好ましい。目付は５〜２５ｇ／ｍ２程度が好ましく、５〜１５ｇ／ｍ２程度がより好ましい。不織布を用いる場合は、スパンボンド法やＳＭＳ法により加工された不織布、特にＳＭＳ法により加工された不織布が、薄さと強度のバランスに優れる点で好適である。なお、コアラップシート８は、少なくとも吸収体１の表面側（肌当接面側）の面が撥水性でなければシートの親水度は特に問わない。
【００５１】
上述の構成からなる吸収体１によれば、吸収体１に含有される高吸水性樹脂として、繊維質層２の吸水性繊維３中に分散混入される高吸水性樹脂４と、この繊維質層２の下層側に配設されるポリマー層５を構成する高吸水性樹脂６とに分けて配設してあるため、装着時のフィット性向上や通気性向上を目的とした吸収体１の薄型化やコンパクト化のため繊維質層２の吸水性繊維３を減量したとしても、この繊維質層２に分散混入された高吸水性樹脂４の含有率が極端に大きくなることがなく、吸水性繊維３中に高吸水性樹脂４の含有率が高くなることによる高吸水性樹脂４の偏りや脱落の発生及びこれに伴う吸収性能の低下、高吸水性樹脂によるざらつき感の発生、操業性の悪化、ゲルブロッキング等による吸収性能の低下などの問題が生じなくなる。よって、吸収性能を維持したまま、吸収体の薄型化が可能になる。
【００５２】
また、吸収体１を、上層側の繊維質層２と下層側のポリマー層５の２層の吸収層に分け、且つこれらの層間に親水性不織布７を介在してあるため、上層側の繊維質層２から下層側のポリマー層５に体液が移行する際、親水性不織布７の通過時に体液が広範囲に拡散される結果、下層側のポリマー層５で広い範囲に亘る高吸水性樹脂６に吸水させることができるようになる。従って、吸水量が低下したり逆戻りが発生したりして吸収性能が悪化することがなくなる。また、前記繊維質層２の高吸水性樹脂４は吸水性繊維３中に分散混入されているため、高吸水性樹脂４の偏りや脱落が防止できるとともに、前記ポリマー層５の高吸水性樹脂６は前記親水性不織布７とコアラップシート８との間に挟み込まれて固着されているため、高吸水性樹脂６の偏りや脱落が防止でき、且つ高吸水性樹脂６が吸水して膨潤しても高吸水性樹脂６、６同士の圧迫が少ないためゲルブロッキングによる吸水量の低下が生じにくくなる。
【００５３】
さらに、ポリマー層５の高吸水性樹脂６が前記親水性不織布７とコアラップシート８との間に挟持されるとともに、繊維質層２、親水性不織布７及びポリマー層５の積層体全体がコアラップシート８によって囲繞されているため、本吸収体１を使い捨ておむつなどに使用して股間部分で折り曲げた場合でも、折り曲げ部分の内側に上層のコアラップシート８が介在するようになり、折り曲げ部分での繊維質層２同士の擦り合わせなどが生じず、高吸水性樹脂４、６の吸水後でも繊維質層２及びポリマー層５に含まれる高吸水性樹脂４、６の脱落や移動が防止でき、高吸水性樹脂４、６が各層２、５に分散配置された状態が維持できるので、高吸水性樹脂４、６が吸水して膨潤したときにも装着感が低下することがなくなる。
【００５４】
次に、上記吸収体１の変形例について説明すると、
前記親水性不織布７は、図２に示されるように、(A)格子状や(B)線状にエンボス線７ａ、７ａ…を施すことによって、該親水性不織布７自体を凹凸状に形成することができる。親水性不織布７を凹凸状に形成することによって、繊維の粗密差が生じ、この粗密差によって上層の繊維質層２から下層のポリマー層５に体液が引き込みやすくなり、吸収性能が向上できる。また、上面側に凹の部分（下面側に凸の部分）でポリマー層５の高吸水性樹脂６が間欠的に押し付けられるため、高吸水性樹脂６が移動しづらくなり、高吸水性樹脂６の偏りが防止できるようになる。
【００５５】
また、図３に示されるように、前記コアラップシート８のうち下面のポリマー層５との隣接部分８ａ及び親水性不織布７はそれぞれ、エンボス加工を施すことにより凹凸状に形成することも可能である。コアラップシート８のポリマー層隣接部分８ａ及び親水性不織布７を凹凸状に形成することによって、前述の繊維の粗密差による体液の引き込み効果に加えて、親水性不織布７の上面側に凹の部分（下面側に凸の部分）及びコアラップシート８の上面側に凸の部分でそれぞれポリマー層５の高吸水性樹脂６を間欠的に押し付けることができ、これにより高吸水性樹脂６がより一層移動しづらくなり、高吸水性樹脂６の偏りが防止できるようになる。また、コアラップシート８が凹凸状に形成されることにより、外側からの肌ざわり感を柔らかくすることもできる。各シート８、７のエンボスパターンとしては、図２と同様に格子状又は線状とすることができる。また、前記コアラップシート８の凹部と親水性不織布７の凸部が一致するようなパターンで形成した場合には、更に高吸水性樹脂６の偏りを防止することができるようになる。なお、前記コアラップシート８のみにエンボス加工を施して凹凸状に形成してもよく、この場合には、高吸水性樹脂６の偏りが防止できるとともに、外側からの感触を柔らかくすることができる。
【００５６】
上層の繊維質層２に含有される高吸水性樹脂４及び下層のポリマー層５を構成する高吸水性樹脂６としては、同一の種類のものを用いることもできるし、性質の相違する異なる種類のものを用いることもできる。異なる種類で構成する場合、繊維質層２に含有される高吸水性樹脂４として、ゲルブロッキングを防ぎ、表面液残りを防止するため加圧下通液速度が相対的に大きいもの（２．０kPaで５０ml／min以上のもの）を使用し、ポリマー層５を構成する高吸水性樹脂６として、加圧下通液速度が相対的に小さいもの（同５０ml／min未満のもの）を用いることができる。これにより、上層側の繊維質層２での通液性が高まり拡散性が良くなるとともに、下層側のポリマー層５での体液拡散を抑制しながら、高吸水性樹脂６に効率的に体液を吸収させることができる。
【００５７】
前記加圧下通液速度の測定方法としては、特開２００３−２３５８８９号公報に記載のゲル通液速度の測定方法に準じた方法とすることができる。具体的に、加圧下通液速度は、垂直に立てた円筒（内径２５．４ｍｍ）の開口部の下端に金網（目開き１５０μｍ）とコック（内径２ｍｍ）付き細管（内径４ｍｍ、長さ８ｃｍ）とを有する濾過円筒管内に、該コックを閉鎖した状態で、８５０〜１５０μｍの粒度に調整した測定試料０．２００ｇを投入し、２５±５℃の生理食塩水（０．９重量％塩化ナトリウム水溶液）５０ｍｌを注ぎ、注ぎ始めてから３０分間静置した後、金網（目開き１５０μｍ、直径２５ｍｍ）付き荷重（２１．２ｇ）を金網と測定試料が接するようにして濾過円筒内に挿入し、１分後におもり（７７．０ｇ）を金網付き荷重の上にのせ、さらに１分間静置した後該コックを開き、生理食塩水の液面が４０ｍｌの目盛り線から２０ｍｌの目盛り線に達するまでの時間（Ｔ１）（秒）を計測して、次式から求める。ここで（Ｔ０）は測定試料なしのときの時間である。
加圧下通液速度（ml／min）＝２０×６０／（Ｔ１−Ｔ０）
【００５８】
次に、前記繊維質層２とポリマー層５の配置パターンについて、図４〜図６に基づいて説明する。なお、図４〜図６は、繊維質層２とポリマー層５の配置関係のみを図示したものであり、親水性不織布７及びコアラップシート８の図示を割愛したものであるが、親水性不織布７については、ポリマー層５を覆う範囲に設けられ、コアラップシート８については、これらの積層体を囲繞するように設けられている。
【００５９】
第１の配置パターンは、図４に示されるように、繊維質層２が、前記ポリマー層５よりも小面積に形成され、前記ポリマー層５のほぼ中央部に配設されている。このとき、前記ポリマー層５には高吸水性樹脂６が全面に亘って配設されている。このようにポリマー層５の中央部のみに該ポリマー層５よりも小面積の繊維質層２を積層してあるため、吸収体１の薄型化が可能になるとともに、繊維質層２が中央の中高部として作用し体液排出部とのフィット性を高めることができる。更に、体液排出部に吸水性繊維３を有する繊維質層２が配置されるので吸収スピードが維持できるとともに、ポリマー層５に高吸水性樹脂６が全面に亘って設けられるので十分な吸収量を確保することができる。繊維質層２の寸法としては、長手寸法がポリマー層５の長手寸法の４０〜８５％程度とし、幅寸法がポリマー層５の幅寸法の３５〜８５％程度とするのがよい。
【００６０】
また、第２の配置パターンは、図５に示されるように、前記ポリマー層５が、吸収体１の長手方向中心線位置又はその近傍に離間部５ｂが形成されることにより左右に分割された分割ポリマー層５ａ、５ａとされるとともに、前記繊維質層２が、前記ポリマー層５より小幅に形成され、前記ポリマー層５の離間部５ｂに跨るように配設されている。即ち、繊維質層２の幅方向中央部には長手方向に沿って下層側にポリマー層５がない部分が形成され、その両側にそれぞれ分割ポリマー層５ａ、５ａが配設されている。このため、幅方向中央部の繊維質層２によって股間部へのフィット性を高めることができ、吸収性能を向上させることができる。また、繊維質層２がポリマー層５より幅寸法を短くしてあるため、繊維質層２が幅方向に拡散しやすい場合でも横漏れが生じるのを防止できる。繊維質層２の幅寸法は、ポリマー層５の幅寸法の３５％〜８５％程度とするのが好ましい。なお、本パターンでは、幅方向中央部では、上層の繊維質層２が体液を吸収する役割を担い、上層の繊維質層２の両側から漏れる体液を捕捉して横漏れを防止するという目的で下層のポリマー層５が設けられている。
【００６１】
更に、第３の配置パターンは、図６に示されるように、前記ポリマー層５が、幅方向に対し、ポリマー配設領域５ａと前記高吸水性樹脂６が配設されない離間部５ｂとが交互に複数長手方向に沿って配列された縞状に形成され、前記ポリマー層５よりも小面積に形成された繊維質層２が、前記ポリマー層５のほぼ中央部に配置されている。ポリマー層５が縞状に形成されているため、ポリマー層５において長手方向の拡散が高まるとともに、幅方向への漏れが防止できるようになる。また、高吸水樹脂６の使用量を少なくできるので資材節減によるコストダウンを図ることも可能である。繊維質層２の長手寸法はポリマー層５の長手寸法の４０％〜８５％程度が好ましく、繊維質層２の幅寸法はポリマー層５の幅寸法の３５％〜８５％程度が好ましい。ポリマー層５のポリマー配設領域５ａの１本当たりの幅は、１０mm以上が好ましく、１０mm〜３０mm程度がより好ましい。また、長手方向の拡散性などを考慮すると、ポリマー配設領域５ａと離間部５ｂの幅寸法は、ほぼ同等とするのが好ましく、ポリマー配設領域５ａの本数は、３本〜７本程度とするのが好ましい。
【００６２】
次に、図７に示されるように、前記ポリマー層５及び親水性不織布７を、繊維質層２の側縁よりも両側に延在させるとともに、この両側の延在部分をそれぞれ、前記繊維質層２の側縁を下側から上側に回り込ませるようにして折り畳むことにより、前記ポリマー層５及び親水性不織布７の側縁を前記繊維質層２の上面側に位置させるようにすることができる。これにより、繊維質層２の両側縁からの漏れが完全に防止できるようになる。
【００６３】
ところで、図８に示されるように、前記ポリマー層５とコアラップシート８との間に親水性不織布７Ｂを配設し、ポリマー層５を上層の親水性不織布７と下層の親水性不織布７Ｂとの間に挟み込ませることにより固定するようにしても良い。これにより、吸収体外面から触れたときにポリマー層５の砂利感（粒子がざらざらした感じ、ざらつき感）が低減できるようになるとともに、予めポリマー層５を親水性不織布７、７Ｂで挟み込んだ積層体を製作しておき、その後にコアラップシート８で囲繞できるので、製作が容易になる。
【００６４】
次に、上記吸収体１の製造方法について説明すると、コアラップシート８の幅方向中央部に接着剤９を塗布し、この塗布面に高吸水性樹脂６を散布する。続いて、親水性不織布７の下面側に接着剤１０を塗布し、前記高吸水性樹脂６を散布した上面に接着剤１０の塗布面を下にして積層する。その後、親水性不織布７の上面に吸水性繊維３中に高吸水性樹脂４を混入させた繊維質層２を積層する。しかる後、コアラップシート８の両側部を繊維質層２の上面に折り返し、繊維質層２の上面で側縁同士が重なるようにして囲繞する。
【００６５】
〔上記吸収体１を用いた使い捨ておむつＮの構成〕
上記吸収体１を用いた使い捨ておむつＮは、図９及び図１０に示されるように、不織布などからなる透液性トップシート１１と、ポリエチレンなどからなるバックシート１２と、前記透液性トップシート１１とバックシート１２との間に介在される上記吸収体１とを含み、表面がわ両側部に立体ギャザーＢＳ、ＢＳが形成された吸収性本体１３と、前記バックシート１２の外面側に一体的に設けられた外装シート２０とからなり、製品状態で前記外装シート２０の前身頃Ｆと後身頃Ｂとが両側部２１、２２において接合されることによりウエスト開口部及び左右一対のレッグ開口部が形成された構造のパンツ型おむつである。
【００６６】
前記吸収体１の表面側（肌当接面側）を覆う透液性トップシート１１としては、有孔または無孔の不織布や多孔性プラスチックシートなどが好適に用いられる。不織布を構成する素材繊維は、ポリエチレンまたはポリプロピレン等のオレフィン系、ポリエステル系、ポリアミド系等の合成繊維の他、レーヨンやキュプラ等の再生繊維、綿等の天然繊維とすることができ、スパンレース法、スパンボンド法、ＳＭＳ法、サーマルボンド法、エアスルー法、ポイントボンド法、メルトブローン法、ニードルパンチ法等の適宜の加工法によって得られた不織布を用いることができる。
【００６７】
前記吸収体１の裏面側（非肌当接面側）を覆うバックシート１２は、ポリエチレンまたはポリプロピレンなどの不透液性プラスチックシートが用いられるが、近年はムレ防止の点から透湿性を有するものが好適に用いられる。この遮水・透湿性シートは、たとえばポリエチレンやポリプロピレン等のオレフィン樹脂中に無機充填材を溶融混練してシートを形成した後、一軸または二軸方向に延伸することにより得られる微多孔性シートであり、仮にシート厚が同じであれば無孔シートよりも剛性が低下するため、柔軟性の点で勝るものとなる。
【００６８】
一方、立体ギャザーＢＳを形成するギャザー不織布１６は、折返しによって二重シートとした不織布が用いられ、前記透液性トップシート１１によって巻き込まれた吸収体１の側縁部をさらにその上側から巻き込んで吸収体１の裏面側まで延在して接着されている。より具体的には、前記ギャザー不織布１６は、おむつの長手方向中間部では、立体ギャザーＢＳ形成部分を残し、幅方向中間部から吸収体１の裏面側に亘る範囲がホットメルト接着剤等によって接着され、また長手方向前後端部では、前記幅方向中間部から一方側端縁までの区間が吸収体１の裏面側に亘る範囲で接着されるとともに、前記立体ギャザーＢＳを形成する部分を吸収体１の上面部にて折り畳むようにしながらホットメルト接着剤等により接着している。
【００６９】
また、前記透液性トップシート１１の下面側（吸収体側）には、体液の吸収速度を速めるとともに、体液の逆戻りを防止するため、透液性トップシート１１とコアラップシート８との間に、親水性不織布からなるセカンドシート１８を配置するのが好ましい。このセカンドシート１８はなくても良いが、配設する場合には、透液性トップシート１１とコアラップシート８との間に配置される。セカンドシート１８は、体液の浸透性を向上し、かつ逆戻りを防止できるよう、吸収体１のほぼ全域を覆うように配置するのが好ましい。
【００７０】
次に外装シート２０の構造について詳述する。外装シート２０は、上層不織布２０Ａ及び下層不織布２０Ｂが、ホットメルト接着剤などにより接着された２層構造の不織布シートとされ、前記上層不織布２０Ａと下層不織布２０Ｂとの間に各種弾性伸縮部材がホットメルト接着剤などにより接着され、伸縮性が付与されている。平面形状は、中間両側部に夫々脚部開口を形成するための凹状の脚回りカットライン２９により、全体として擬似砂時計形状を成している。
【００７１】
上層不織布２０Ａ及び下層不織布２０Ｂを構成する素材繊維も、前記透液性トップシート１１やギャザー不織布１６と同様に、ポリエチレンまたはポリプロピレン等のオレフィン系、ポリエステル系、ポリアミド系等の合成繊維の他、レーヨンやキュプラ等の再生繊維、綿等の天然繊維とすることができ、スパンボンド法、ＳＭＳ法、メルトブローン法、サーマルボンド法、エアスルー法、ポイントボンド法、ニードルパンチ法等の適宜の加工方法に得られた不織布を用いることができる。
【００７２】
前記外装シート２０においては、前記弾性伸縮部材として、ウエスト開口部回り２３に配置されたウエスト部弾性伸縮部材２４，２４…と、前身頃Ｆ及び後身頃Ｂに、上下方向に間隔をおいて水平方向に沿って配置され、腰回りにシャーリングを形成するための複数の腰回り弾性伸縮部材群２５，２５…とを有する。
【００７３】
上記吸収性本体１３と外装シート２０とは、外装シート２０の上面側に吸収性本体１３がホットメルト等の接着剤によって接着され一体化されている。そして、吸収性本体１３および外装シート２０が前後方向に折り重ねられ、その両側部が相互に熱溶着またはホットメルト接着剤などによって接合されることにより、パンツ型の使い捨ておむつＮに組み立てられる。
【００７４】
〔他の形態例〕
上記形態例では、使い捨ておむつを例に説明したが、本発明は、尿取りパッドや失禁パッド、生理用ナプキン等の吸収性物品に広く使用できる。
【符号の説明】
【００７５】
１…吸収体、２…繊維質層、３…吸水性繊維、４…高吸水性樹脂、５…ポリマー層、６…高吸水性樹脂、７…親水性不織布、８…コアラップシート、９・１０…接着剤、１１…透液性トップシート、１２…バックシート、１６…ギャザー不織布、１８…セカンドシート、２０…外装シート
【図１】
2014068813.tif 000003
【図２】
2014068813.tif 000004
【図３】
2014068813.tif 000005
【図４】
2014068813.tif 000006
【図５】
2014068813.tif 000007
【図６】
2014068813.tif 000008
【図７】
2014068813.tif 000009
【図８】
2014068813.tif 000010
【図９】
2014068813.tif 000011
【図１０】
2014068813.tif 000012